(57)【要約】  【課題】  省資源に寄与し、ダミー体の製造コスト、自動販売機のランニングコストや商品の販売費の低減を図ることができる自動販売機用のダミー体およびダミー体用キャップを提供すること。  【解決手段】  自動販売機において販売する商品を収容するキャップ付き容器の略前半分の形状をしたダミー体１の頭部９に着脱自在に取り付けられるダミー体用キャップ１０であって、横断面視ほぼ円弧状の前壁部１１と、この前壁部１１の左右両縁に連設された後壁部１２と、前記前壁部１１の上側に連設された平面視ほぼ半円状の天部１３とを備え、前記ダミー体１の頭部９の左右両端部１４，１４と係合する係合部１５，１５が前記前壁部１１と後壁部１２との連設部分に設けた。  【選択図】  図１
0003117255.tif 000002
【実用新案登録請求の範囲】
【請求項１】
自動販売機において販売する商品を収容するキャップ付き容器の略前半分の形状をしたダミー体の頭部に着脱自在に取り付けられるダミー体用キャップであって、横断面視ほぼ円弧状の前壁部と、この前壁部の左右両縁に連設された後壁部と、前記前壁部の上側に連設された平面視ほぼ半円状の天部とを備え、前記ダミー体の頭部の左右両端部と係合する係合部が前記前壁部と後壁部との連設部分に形成されていることを特徴とするダミー体用キャップ。
【請求項２】
前記係合部が溝である請求項１に記載のダミー体用キャップ。
【請求項３】
前記後壁部が前記天部の後縁にも連設され、前記ダミー体の頭部の上端背面部に係止する係止部が前記後壁部に形成されている請求項１または２に記載のダミー体用キャップ。
【請求項４】
前記前壁部に、下側ほど内径が縮径し、前記ダミー体の頭部の下部分に形成された突条部分に係止する縮径部分が設けられている請求項１〜３のいずれかに記載のダミー体用キャップ。
【請求項５】
自動販売機において販売する商品を収容するキャップ付き容器の略前半分の形状をしていると共に、その頭部の後側周縁に外方に向かって延びる突出部分が形成された自動販売機用のダミー体であって、前記頭部に着脱自在に取り付けられる請求項１〜４のいずれかに記載のダミー体用キャップを備えたことを特徴とする自動販売機用のダミー体。
【考案の詳細な説明】
【技術分野】
【０００１】
本考案は、例えば、ペットボトルやボトル缶等のキャップ付き容器に収容される商品（ジュースやコーヒー、茶等）を販売する自動販売機において、販売する商品を示すために自動販売機に設けられたステージの取付孔に取り付けられる自動販売機用のダミー体およびダミー体用キャップに関する。
【背景技術】
【０００２】
例えば、ペットボトル入りのジュース、コーヒーや茶等の商品を販売するための自動販売機には、それらの商品のダミー体を展示するための展示室が設けられている。これらのダミー体は商品をより魅力あるものとして宣伝するためのものであると共に、商品の入れ替えに伴って容易に交換可能であることが必要である。
【０００３】
そこで、前記展示室内のステージに対する着脱が容易であり、併せて大量生産によるコストダウンまで可能となるハーフのダミー体が従来より用いられている。このハーフのダミー体は、ペットボトルタイプの飲料容器の略前半分の形状を呈するように成形され、また、前記飲料容器の図柄（ラベル、キャップを含む。）が印刷されているもので、真空成形または圧空成形とトムソン法による打ち抜きとによって、簡単に、かつ、効率良く生産することができる。
【考案の開示】
【考案が解決しようとする課題】
【０００４】
ところで、自動販売機におけるコールド用飲料の販売とホット用飲料の販売とを季節等に応じて切り換えることがあり、それが自動販売機の展示室に展示するダミー体のキャップの色を変更すればよいだけの場合であっても、ダミー体そのものを交換しなければならないため、資源やコストの節約を図れないという問題があった。さらに、前記交換の際に展示室から外されたダミー体についても、これを廃棄すると、次にその使用時期が到来したときには再び新たなダミー体を生産しなければならず、生産コストや販売費の上昇さらには資源の浪費を招く原因となる。そこで、前記ダミー体を廃棄せずに次にその使用時期が到来するまで保管しておくこととした場合には、多種多量のダミー体を保管することとなって膨大なスペースと多大な費用・労力が必要になるうえ、商品の打ち切りやデザイン変更等に伴って保管中のダミー体が不要になる可能性もあり、保管費の無駄遣いを甘受しなければならないという問題もあった。
【０００５】
この考案は上述の事柄に留意してなされたもので、その目的は、省資源に寄与し、ダミー体の製造コスト、自動販売機のランニングコストや商品の販売費の低減を図ることができる自動販売機用のダミー体およびダミー体用キャップを提供することである。
【課題を解決するための手段】
【０００６】
上記目的を達成するために、本考案のダミー体用キャップは、自動販売機において販売する商品を収容するキャップ付き容器の略前半分の形状をしたダミー体の頭部に着脱自在に取り付けられるダミー体用キャップであって、横断面視ほぼ円弧状の前壁部と、この前壁部の左右両縁に連設された後壁部と、前記前壁部の上側に連設された平面視ほぼ半円状の天部とを備え、前記ダミー体の頭部の左右両端部と係合する係合部が前記前壁部と後壁部との連設部分に形成されていることを特徴としている（請求項１）。
【０００７】
前記ダミー体用キャップにおいて、前記係合部は溝であることが好ましい（請求項２）。
【０００８】
さらに、前記ダミー体用キャップにおいて、前記後壁部が前記天部の後縁にも連設され、前記ダミー体の頭部の上端背面部に係止する係止部が前記後壁部に形成されていてもよい（請求項３）。
【０００９】
また、前記ダミー体用キャップにおいて、前記前壁部に、下側ほど内径が縮径し、前記ダミー体の頭部の下部分に形成された突条部分に係止する縮径部分が設けられていてもよい（請求項４）。
【００１０】
また、上記目的を達成するために、本考案の自動販売機用のダミー体は、自動販売機において販売する商品を収容するキャップ付き容器の略前半分の形状をしていると共に、その頭部の後側周縁に外方に向かって延びる突出部分が形成された自動販売機用のダミー体であって、前記頭部に着脱自在に取り付けられる請求項１〜４のいずれかに記載のダミー体用キャップを備えたことを特徴としている（請求項５）。
【考案の効果】
【００１１】
請求項１〜５に係る本考案によれば、省資源に寄与し、ダミー体の製造コスト、自動販売機のランニングコストや商品の販売費の低減を図ることができる自動販売機用のダミー体およびダミー体用キャップが得られる。すなわち、請求項１〜４に係る本考案では、前記前壁部、後壁部、天部および係合部を有することにより、キャップ付き容器の略前半分の形状をしたダミー体の頭部に着脱自在に取り付けることができ、その交換が可能であるので、自動販売機で販売する商品を収容する容器のキャップの色の変更に容易に対応することができるダミー体用キャップが得られる。
【００１２】
そして、上記のような対応ができる前記ダミー体用キャップを備えた請求項５に係る本考案の自動販売機用のダミー体では、キャップの色毎にダミー体を用意する必要がなくなることにより、生産が必要なダミー体の種類が減り、このことがダミー体の製造コストひいては自動販売機のランニングコストや商品の販売費の引き下げや資源の節約につながることとなる。また、前記ダミー体用キャップが頭部に装着された状態の前記ダミー体は、従来のハーフのダミー体に比べてより立体感を持ったものとなり、実物の容器に極めて近い形態を呈することとなる。さらに、色違いのダミー体用キャップを用意して任意に選択した色のダミー体用キャップをダミー体の頭部に装着する場合、使用しない色のダミー体用キャップを保管する必要があるが、このキャップは小さいものであるため、その保管にかかる費用やスペースは微々たるものである。
【００１３】
そして、特に、請求項２に係る本考案では、ダミー体の頭部の左右両端部を前記溝部に挿入することにより、ダミー体に対する装着を簡単かつ確実に行うことができ、しかもその構造がシンプルであるダミー体用キャップが得られる。
【００１４】
また、請求項３、４に係る本考案では、ダミー体に対する装着状態を良好に維持することができるという効果をも奏するダミー体用キャップが得られる。
【考案を実施するための最良の形態】
【００１５】
図１は、本考案の一実施の形態に係る自動販売機用のダミー体（以下、ダミー体という）１の構成を概略的に示す斜視図である。この図に示すように、前記ダミー体１は、自動販売機において販売する商品を収容するキャップ付き容器（この実施の形態では、茶、ジュース、コーヒー等の飲料を収容するペットボトルタイプの飲料容器）の略前半分の形状をしている。すなわち、このダミー体１は、例えば、ポリプロピレン、ポリカーボネイト、ポリエチレンテレフタレート等またはそれらの再生品など、耐熱性、耐候性に優れた素材からなり、前記容器と略同じ内容の印刷が施されている。ここで、前記ダミー体１は、真空成形または圧空成形とトムソン法による打ち抜きとによって成形されるのであり、トムソン法による打ち抜きを行う際に、ダミー体１の周縁に外方（ダミー体１を立てたときの上下左右方向外側）に向かって延びる突出部分（いわゆるバリ）１ａが形成される。
【００１６】
また、前記ダミー体１は、図１に示すように、自動販売機の展示室内に既設のステージ２に着脱自在に取り付けることができるように構成されている。すなわち、前記ステージ２は、本実施形態のダミー体１だけでなく既存のダミー体（例えばほぼ円筒状のダミー体）も取り付けられるもので、具体的には、平面視円形の周縁に沿って一対の切欠部分３ａと二対の切り込み３ｂ，３ｃとを有する取付孔３を有している。なお、前記切欠部分３ａは平面視コ字型をなし、前記切り込み３ｂ，３ｃどうしは、中心角で１８０°の間隔を有して配置されている。また、前記取付孔３の下方には、ダミー体１照明用の棒状の蛍光灯４が配置されている。
【００１７】
これに対して、ダミー体１の下部には、前記ステージ２に既設の略円形状の前記取付孔３の周縁にその上方から当接する当接部５と、この当接部５の下側に連設され、前記取付孔３に挿入され取付孔３の径よりも外径が若干大きい挿入部６と、この挿入部６の外周面に連設された環状突条により構成され、前記取付孔３の周縁にその下方から係止する係止体７とが設けられている。なお、前記挿入部６は、ダミー体１をステージ２に取り付けた状態で取付孔３の内側に位置する部分だけでなくその下方に位置する部分も含む。
【００１８】
そして、上記構成のダミー体１では、まず、前記挿入部６の左右の幅を縮める方向に弾性変形（スクイーズ）させることにより挿入部６が取付孔３内に挿入可能な状態となり、この挿入後に前記弾性変形のための付勢を解除すると、ダミー体１（挿入部６）の復元力により係止体７が取付孔３の周縁に係止し、ダミー体１はステージ２に取り付けられた状態となる。このようにしてダミー体１がステージ２に取り付けられると、当接部５と係止体７とが取付孔３の周縁を挟み、ダミー体１は取付孔３から抜けなくなる。また、このとき、ダミー体１を取付孔３に対してその前側に寄せた状態とすることにより、挿入部６の周縁に設けられた前記突出部分１ａが取付孔３の二つの切欠部分３ａのそれぞれの前側縁に当接して、ダミー体１の軸まわりの回転も防止されることとなる。さらに、前記挿入部６の外径は取付孔３の内径よりも若干大きいので、取付孔３の周縁に当接しさらに左右方向に広がろうとする挿入部６により、ダミー体１は常時径方向外側に向かって広がるように付勢された状態となり、これによっても、ダミー体１が安定した状態で直立することになる。
【００１９】
また、ダミー体１のモデルとなるペットボトルは、ペットボトルを成形する工程、ペットボトルに内容物（飲料）を充填する工程、内容物が充填されたペットボトルをキャッピングする工程などを経るものであり、上述のような工程において機械によるペットボトルの持ち上げや運搬等を効率よく行うことができるように、ペットボトルの頭部の下部分には突条部分（ワッパ、段ともいう。）が形成されており、これを模したダミー体１の頭部９の下部分にも突条部分８が設けられている。
【００２０】
そして、前記ダミー体１は、図１に示すように、その頭部９に着脱自在に取り付けられるダミー体用キャップ（以下、キャップという）１０を備えている。このキャップ１０は、比較的硬質の合成樹脂（例えば、ポリプロピレン、ポリカーボネイト、ポリエチレンテレフタレート等またはそれらの再生品）をインジェクション成形して得られる。
【００２１】
図２（Ａ）、（Ｂ）および（Ｃ）は、前記キャップ１０の構成を概略的に示す平面図、正面図および底面図、図３（Ａ）、（Ｂ）および（Ｃ）は、前記キャップ１０の構成を概略的に示す側面図、背面図および縦断面図である。図１〜図３に示すように、前記キャップ１０は、横断面視ほぼ円弧状の前壁部１１と、この前壁部１１の左右両縁に連設された後壁部１２と、前記前壁部１１の上側に連設された平面視ほぼ半円状の天部１３とを備えている。
【００２２】
また、図２（Ｃ）および図３（Ｃ）に示すように、前記キャップ１０における前壁部１１と後壁部１２との連設部分には、前記ダミー体１の頭部９の左右両端部１４，１４と係合する係合部１５が形成されている。ここで、前述した突出部分１ａは前記頭部９の左右両端部１４，１４にも設けられており、前記係合部１５はこの突出部分１ａが設けられた左右両端部１４，１４を係合することができる上下方向に延びる溝となっている。
【００２３】
さらに、図１および図３（Ｂ）に示すように、前記後壁部１２は前記天部１３の後縁にも連設され、前記ダミー体１の頭部９の上端背面部１６に係止する係止部１７が後壁部１２に形成されている。なお、前記係止部１７は、後壁部１２の前側に突出する突起状となっている。
【００２４】
また、図１、図２（Ｂ）並びに図３（Ａ）〜（Ｃ）に示すように、前記前壁部１１には、下側ほど内径が縮径し、前記ダミー体１の頭部９の下部分に形成された前記突条部分８に係止する縮径部分１８が設けられている。
【００２５】
図４（Ａ）および（Ｂ）は、ダミー体１の頭部９に対するキャップ１０の装着方法を概略的に示す説明図、図５は前記ダミー体１の頭部９に装着された状態の前記キャップ１０の構成を概略的に示す横断面図である。上記構成のキャップ１０をダミー体１の頭部９に装着するには、図４（Ａ）に示すように、ダミー体１の頭部９の上方からキャップ１０を被せればよく、このとき、図５に示すように、キャップ１０の係合部１５，１５に頭部９の左右両端部１４，１４が差し込まれるように位置合わせをする必要がある。そして、上記装着が完了するば、図４（Ｂ）に示すように、キャップ１０の天部１３下面にダミー体１の頭部９の上端背面部１６（突出部分１ａ）が当接する状態となる。また、このとき、ダミー体１の頭部９の上端背面部１６がキャップ１０の係止部１７に係止された状態となると共に、キャップ１０の前壁部１１の縮径部分１８がダミー体１の頭部９の下部分に形成された突条部分８に係止する状態となり、これら二箇所の係止によりキャップ１０はダミー体１の頭部９から容易に抜けることが好適に防止される。
【００２６】
上記の構成からなるダミー体１では、頭部９（実物のキャップに対応する部分）を印刷によって白色としておき、キャップ１０をオレンジ色としておくことにより、自動販売機における販売対象をコールド用飲料からホット用飲料に変更する場合、あるいはその逆の変更を行う場合に、ダミー体１のキャップ１０を着脱するだけで容易に対応することができる。また、逆に、ダミー体１の頭部９を印刷によってオレンジ色とし、キャップ１０を白色としてもよい。
【００２７】
本考案は、上記実施の形態に限らず、種々に変形して実施することができる。例えば、上記の実施形態では、キャップ１０をオレンジ色または白色としているが、本考案はこれに限らず、他の色としてもよい。
【００２８】
また、前記ダミー体１は、図１に示す取付孔３を有するステージ２にのみ取り付けられるものではなく、ほぼ円形状あるいは半円形状の取付孔を有する種々のステージに取り付けることができる。さらに、ダミー体１の下部も、当接部５、挿入部６および係止体７を有しているものに限らず、種々に構成することができる。
【図面の簡単な説明】
【００２９】
【図１】本考案の一実施の形態に係る自動販売機用のダミー体の構成を概略的に示す斜視図である。
【図２】（Ａ）、（Ｂ）および（Ｃ）は、上記実施の形態におけるダミー体用キャップの構成を概略的に示す平面図、正面図および底面図である。
【図３】（Ａ）、（Ｂ）および（Ｃ）は、前記キャップの構成を概略的に示す側面図、背面図および縦断面図である。
【図４】（Ａ）および（Ｂ）は、前記ダミー体の頭部に対する前記キャップの装着方法を概略的に示す説明図である。
【図５】前記ダミー体の頭部に装着された状態の前記キャップの構成を概略的に示す横断面図である。
【符号の説明】
【００３０】
１  自動販売機用のダミー体
９  頭部
１０  ダミー体用キャップ
１１  前壁部
１２  後壁部
１３  天部
１４  左右端部
１５  係合部
【図１】
0003117255.tif 000003
【図２】
0003117255.tif 000004
【図３】
0003117255.tif 000005
【図４】
0003117255.tif 000006
【図５】
0003117255.tif 000007